(57)【要約】【課題】近年のデジタルテレビジョン受信機においてはユーザがリモコンキーを押してもデータ放送内容のダウンロードに時間がかかり即座に画面表示、もしくは音声出力できないことがしばしばであり、さらにはその間テレビジョン受信機は他のリモコンキーが押されても無反応になり別の処理は受け付けられない状態になる。【解決手段】複数のリモコンキーを備えたリモコンと、リモコンキーに対応したリモコン信号を受信するリモコン信号受信部と、リモコンキーに対応したキャラクタアイコンデータを格納しているキャラクタライブラリ部と、リモコンキーを解読しキャラクタライブラリ部からリモコンキーに対応したキャラクタアイコンデータを取出すＣＰＵ部と、チューナ部から入力するトランスポートストリームとＣＰＵ部からのキャラクタアイコンをミックスさせる映像信号処理部とを備え、リモコンキーの操作内容を画面表示する。【選択図】図１
2008053770.tif 000002
【特許請求の範囲】
【請求項１】
複数のリモコンキーを備えたリモコンとテレビジョン受信機から構成されるリモコンキー認識表示システムであって、
前記リモコンからリモコンキーに対応したリモコン信号を受信するリモコン信号受信部と、前記リモコン受信部から入力する前記リモコン信号をデジタルデータに復調するリモコンパルスデコーダ部と、前記リモコンキーに対応したキャラクタアイコンデータを格納しているキャラクタライブラリ部と、前記リモコンパルスデコーダ部から入力する前記デジタルデータでリモコンキーを解読し前記キャラクタライブラリ部から前記リモコンキーに対応したキャラクタアイコンデータを取出すＣＰＵ部と、デジタル放送波を受信しトランスポートストリーム信号に復調するチューナ部と、前記チューナ部から入力するトランスポートストリーム信号の中から所望のデータのみをＭＰＥＧ復調し前記ＣＰＵ部から入力する前記キャラクタアイコンデータをＭＰＥＧ復調してミックスさせるデジタル映像信号処理を行なう映像信号処理部と、前記映像信号処理部から入力する前記ミックスされたデジタル映像信号の映像表示を行なう表示デバイス部とをテレビジョン受信機が備えたことを特徴とするリモコンキー認識表示システム。
【請求項２】
リモコンの操作キーに対応したアイコンの画面表示をオン、オフさせる切換えメニューを備えた請求項１に記載のリモコンキー認識表示システム。
【請求項３】
前記ＣＰＵ部に前記デジタルデータが連続して入力されたときに前記デジタルデータを順番にバッファリングするリモコンキーバッファ部を備え、
前記ＣＰＵ部が前記リモコンキーバッファ部にバッファリングされたデジタルデータの順番にキャラクタアイコンを並べて表示デバイス部に表示させることを特徴とする請求項１に記載のリモコンキー認識表示システム。
【請求項４】
前記表示デバイス部に並べて表示されたキャラクタアイコンを消去するメニューを備えたことを特徴とする請求項１に記載のリモコンキー認識表示システム。
【発明の詳細な説明】
【技術分野】
【０００１】
本発明は、テレビジョン受信機のマイコンから画面上に表示するアイコンにリモコンキーの各ボタンに対応したキャラクタを準備し、任意のリモコンキーが押されたらそのキーに対応したアイコンを画面上に表示しテレビジョン受信機が受信、認識したリモコンキーをユーザに通知するリモコンキー認識表示システムに関するものである。
【背景技術】
【０００２】
従来リモコンからテレビへリモコン信号を送り、リモコンパルスを認識し画面表示を行なう場合、例えば特許文献１のようなものがあった。これはリモコンとテレビの間に情報記憶装置を仲立ちにするシステムでリモコンキーが押されたら情報記憶装置からテレビに向かってリモコンパルスが送出され、テレビ画面にリモコンの利用可能なキーがリモコンのレイアウトに対応して表示され、かつ表示された各ボタンに機能名称が付与されるものである。
【特許文献１】特開２００３−２０９７１０号公報
【発明の開示】
【発明が解決しようとする課題】
【０００３】
しかしながら、近年のデジタルテレビジョン受信機においてはユーザがリモコンキーを押してもデータ放送内容のダウンロードに時間がかかり即座に画面表示、もしくは音声出力できないことがしばしばであり、さらにはその間テレビジョン受信機は他のリモコンキーが押されても無反応になり別の処理は受け付けられない状態になる。そのような場合、リモコンキーが押されたことに対して画面上表示に何も変化がなくユーザにはテレビジョン受信機がリモコンパルス信号を受信し、認識したかどうか確認する手段がなく、何度もリモコンボタンを押すことによりリモコンのバッテリ減り、その他の原因によってユーザはテレビジョン受信機が指定処理の実行中と考えていても押されたリモコンキーがテレビジョン受信機は認識できておらず処理に入っていないことがあり、テレビジョン受信機がリモコンパルスそのものを認識していないとユーザの待ち時間に無駄が生じることになる。
【課題を解決するための手段】
【０００４】
前記従来の課題を解決するために、本発明のリモコンキー認識表示システムは、複数のリモコンキーを備えたリモコンとテレビジョン受信機から構成され、テレビジョン受信機は、リモコンからリモコンキーに対応したリモコン信号を受信するリモコン信号受信部と、リモコン受信部から入力するリモコン信号をデジタルデータに復調するリモコンパルスデコーダ部と、リモコンキーに対応したキャラクタアイコンデータを格納しているキャラクタライブラリ部と、リモコンパルスデコーダ部から入力するデジタルデータでリモコンキーを解読しキャラクタライブラリ部からリモコンキーに対応したキャラクタアイコンデータを取出すＣＰＵ部と、デジタル放送波を受信しトランスポートストリーム信号に復調するチューナ部と、チューナ部から入力するトランスポートストリーム信号の中から所望のデータのみをＭＰＥＧ復調しＣＰＵ部から入力するキャラクタアイコンデータをＭＰＥＧ復調してミックスさせるデジタル映像信号処理を行なう映像信号処理部と、映像信号処理部から入力するミックスされたデジタル映像信号の映像表示を行なう表示デバイス部とを有し、リモコンキーの操作内容を画面表示する。
【発明の効果】
【０００５】
本発明のテレビジョン受信機におけるリモコンキー認識表示システムは、リモコンキーを押してＴＶがデータを放送信号からロードするのに時間がかかり、すぐにアクションを返せない場合、ユーザが押したキーをＴＶが画面表示し、ユーザーがその処理の実行を行なっているかどうかを確認でき、ユーザが無駄な待ち時間を節約できる、という利点がある。
【発明を実施するための最良の形態】
【０００６】
本発明の第１の発明は、リモコンパルスが入力されたらそのパルスをデコード、ＣＰＵが認識し、その処理を開始する。その処理が放送コンテンツのダウンロードである場合、取り込みコンテンツの画面に切り替わるのは少なくとも１フレーム分のダウンロードが完了した時であるため、ＣＰＵはその１フレームをダウンロードするまでの時間を見積もる。その時間がある一定時間を越えると判定されるとＣＰＵはダウンロード処理に優先してダウンロードキーに対応したアイコンをライブラリから検出しダウンロードコンテンツ前の映像信号にミックスして表示ドライバに送り画面表示する。
【０００７】
第２の発明は、前記リモコンキー対応のアイコンをユーザが煩雑に感じた場合、画面上からオフできるようにオフに切換えできるメニューを準備する。
【０００８】
第３の発明は、第１の発明に記載の内容に加え、第１の発明で述べたダウンロード実施中でもＣＰＵのキーバッファ受付、順次画面への反映といった一連の処理は有効にし、ユーザが入力したキーがその処理の順番に画面に表示されていくものである。
【０００９】
第４の発明は、第３の発明に述べた一連のキーコマンドをユーザが確認した時にユーザが不要、もしくは誤入力と判断した場合、その一連のキー入力を画面上でリモコンを使用し編集できるものである。
【００１０】
以下本発明の実施の形態について図１乃至図８を用いて説明する。
【００１１】
（実施の形態１）
まず、本発明のリモコンキー認識表示システムの構成について説明する。
【００１２】
図１は本発明の実施の形態１におけるリモコンキー認識表示システムのイメージ図である。リモコンキー認識表示システムは、リモコンキー認識対応アイコン表示可能なテレビジョン受信機１と、リモコン２で構成されている。
【００１３】
リモコン２には、データコンテンツダウンロードキー３を備えている。
【００１４】
テレビジョン受信機１は表示デバイス５を備えており、表示デバイス５に映像６を表示したり、リモコン２のデータコンテンツダウンロードキー３に対応した点灯もしくは点滅するアイコン４を表示したりする。
【００１５】
図２は本発明の実施の形態１におけるテレビジョン受信機のブロック図である。テレビジョン受信機１は、リモコン信号受信部７、リモコンパルスデコーダ部８、ＣＰＵ部９、キャラクタライブラリ部１０、第１のメモリ部１１、チューナ部１２、映像信号処理部１３、表示ドライバ部１４、映像信号１５、同期信号１６、表示デバイス部１７、リモコンキーバッファ部１８、第２のメモリ部１９で構成されている。
【００１６】
リモコン信号受信部７は、リモコン２から送出されるテレビジョン受信機１にデータ放送のダウンロード等を実行させるリモコン信号を受信し、キャリア変調されたリモコンパルス以外の周波数に対してノイズフィルタをかけるブロックである。
【００１７】
リモコンパルスデコーダ部８は、リモコン信号受信部７でノイズを除去されたリモコン信号を家電製品協会のコード等のフォーマットのデジタルデータに復調するブロックである。
【００１８】
ＣＰＵ部９は、リモコンパルスデコーダ部８で復調されたデジタルデータがどのような操作内容であるかを解読し、その内容に対応して次動作を決定するマイコンである。詳細は以降のブロックの説明と合わせて後述する。
【００１９】
キャラクタライブラリ部１０は、後述する表示デバイス部１７に前記デジタルデータに対応したアイコン４を表示するためのデータを格納しているライブラリである。ＣＰＵ部９が解読した前記デジタルデータがデータコンテンツのダウンロードである場合、ＣＰＵ部９の次動作として表示デバイス部１７にアイコン４を表示させるためにキャラクタライブラリ部１０中のアイコン４に対応したデータを検索する。
【００２０】
第１のメモリ部１１は、表示デバイス部１７に表示するためにキャラクタライブラリ部１０中のデータやＣＰＵ部９のシステムワークメモリとしてのデータ処理用記憶領域である。
【００２１】
チューナ部１２は、変調されたデータコンテンツ、映像、音声などのデジタル放送波を受信した後に選局し、トランスポートストリーム信号に復調し、次段に出力するブロックである。
【００２２】
映像信号処理部１３は、チューナ部１２から入力されたトランスポートストリーム信号の中から所望のデータのみをフィルタリングし、ＭＰＥＧ復調し、画質補正し、ＣＰＵ部９に映像同期信号を出力したり、逆にＣＰＵ部９から出力されたアイコン４等のＯＳＤ信号のデジタルデータを前記映像信号とミックス、スケーリング処理などを行なったり、表示ドライバ部１４にＲＧＢ形式等のフォーマットでデジタル信号出力を行なうブロックである。
【００２３】
表示ドライバ部１４は、後述の映像信号１５および同期信号１６の映像信号処理部１３からＲＧＢ等の形式で出力されたデジタル信号をＬＶＤＳ等の表示デバイス部１７の所望する信号フォーマットに変換し出力するデバイスである。
【００２４】
映像信号１５は、映像信号処理部１３から出力されるデジタル映像信号及びそれにミックスされたアイコン４のＲＧＢ等形式のデジタル信号である。
【００２５】
同期信号１６は、映像信号１５の水平、垂直の同期信号、及びそれらのクロックである。
【００２６】
表示デバイス部１７は、テレビジョン受信機１の映像表示部である。図１のリモコンキー認識表示システムのイメージ図では表示デバイス５として描かれている。
【００２７】
リモコンキーバッファ部１８は、ユーザが連続してリモコン２のキーを押した場合、テレビジョン受信機１でキーが押された順番に処理するために、リモコン２のキー入力を順番にバッファリングしておくためのブロックである。
【００２８】
第２のメモリ部１９は、映像信号処理部１３がトランスポートストリームから所望のデータのみをフィルタリングする際のトランスポートストリームパケットやＭＰＥＧ復調する際のＰＥＳパケットや画質補正やスケーリングするための映像信号処理用記憶領域である。
【００２９】
次に、本発明のリモコンキー認識表示システムのフローについて説明する。
【００３０】
テレビジョン受信機１がデジタル放送を受信している際、データ放送が利用可能になればテレビジョン受信機１はユーザにデータ放送があることを知らせる画面を表示する。そしてユーザはその画面表示に従いリモコン２上のデータコンテンツダウンロードキー３を押す。するとリモコン２からテレビジョン受信機１にデータコンテンツをダウンロードするリモコン信号が送信され、テレビジョン受信機１中のリモコン信号受信部７がそのリモコンパルス信号を検知し、他の外来ノイズを除去し、次段のリモコンパルスデコーダ部８にリモコン信号を出力する。リモコン信号を受け取ったリモコンパルスデコーダ部８はリモコン信号をデータコンテンツダウンロードキー３に対応した家電製品協会のコード等のフォーマットにデコードしてＣＰＵ部９に送る。データコンテンツダウンロードの指示を受け取ったＣＰＵ部９は、キャラクタライブラリ部１０中のアイコン４に対応したデータを検索し、第１のメモリ部１１にアイコン４に対応したデータを記憶し、アイコン４を形成し、映像信号処理部１３へＯＳＤ信号として水平、垂直、クロックといった制御信号とともに出力する。ＯＳＤ信号を受け取った映像信号処理部１３はユーザが視聴中の映像信号とミックスされ映像信号１５、同期信号１６として表示ドライバ部１４へ出力し、表示ドライバ部１４はＬＶＤＳフォーマットに変換して表示デバイス部１７へ出力することでアイコン４が重畳された映像信号が画面に表示される。
【００３１】
一方で同一トランスポンダ内にあるデータコンテンツはチューナ部１２で選局されているので映像信号処理部１３によってフィルタリング済みの映像信号のトランスポートストリームパケットとは別のデータコンテンツのトランスポートストリームパケットが追加され、データコンテンツのダウンロードが始まり、画面表示可能なパケット分が第２のメモリ部１９に蓄積されると映像信号からデータコンテンツの表示画面に処理を切換え、ＣＰＵ部９に通知を行ない、アイコン４のＯＳＤ信号を消すリクエストを行なうと同時に表示ドライバ部１４に対してデータコンテンツのデータ出力を行なう。
【００３２】
このようにしてユーザはテレビジョン受信機１がリモコン２のリモコン信号を認識し、アイコン４を認識するので、データコンテンツのダウンロードが始まったことを判別することが可能となる。
【００３３】
公知のようにデータサービスの放送構成はカルーセル構造をとっておりデータコンテンツによってはダウンロードに長い時間を要することもある。その際、ユーザにはテレビジョン受信機１がリモコン２からのパルスを受け取ってデータコンテンツをダウンロード中なのかリモコンの向きやリモコン自身のバッテリの充電具合によってテレビジョン受信機１が認識できていないのかを知る手段がなく、リモコンキーを押しても直後に画面に結果として反映されないデータコンテンツ表示などの場合、ユーザがキーを押してもテレビジョン受信機１がそれを認識していなければ、結果としてユーザに時間の無駄を招くことになる。
【００３４】
そこでキャラクタライブラリ部１０を新規に追加することと、ＣＰＵ部９がリモコン信号に対応したキャラクタをキャラクタライブラリ部１０から検索することと、映像信号に同期したアイコン４のデータを映像信号処理部１３に出力することと、映像信号処理部１３にフィルタリング処理中の映像信号パケットに加えてデータサービス用のパケットをフィルタリング処理することと、画面表示準備が完了した時点でＣＰＵ部９に通知する処理を追加すれば、ユーザがリモコンキーを押してもデータ放送内容のダウンロードに時間がかかり即座に画面表示、もしくは音声が出力できない、という課題が解決される。
【００３５】
かかる構成によればデータコンテンツをダウンロードするリモコン信号が送られると同時にＣＰＵ部９はキャラクタライブラリ部１０からデータコンテンツダウンロードキー３に対応したキャラクタを探し出し、映像信号に同期したアイコン４のデータを映像信号処理１３に出力し、表示中の映像信号にミックスして表示ドライバ１４を介し表示デバイス１７に表示させるのと並行して映像信号処理１３にフィルタリング処理中の映像信号パケットに加えてデータサービス用のパケットをフィルタリング処理し、第２のメモリ部１９に蓄え、画面表示準備が完了した時点でＣＰＵ部９に通知し、フィルタリング処理をデータサービスコンテンツ側へ単一処理の切換を行なうことで、ユーザが押したリモコンキーを正しくテレビジョン受信機１が認識しデータコンテンツダウンロードが開始されたことをユーザが識別できるようになりデータサービスコンテンツが画面に表示できるようになり、ユーザの入力したキーがテレビジョン受信機１に認識されたかどうかを判別するために、それに対応したキャラクタを表示することで時間の無駄や何度もリモコンボタンを押すという無駄なリモコンのバッテリ消費を解消することができる。
【００３６】
（実施の形態２）
図３は本発明実施の形態２におけるリモコンキー認識表示システムの機能設定用オンスクリーンメニュー図である。機能設定用オンスクリーンメニュー２０には、リモコンキー表示メニュー２１が備えられている。
【００３７】
このリモコンキー表示メニュー２１のリモコンキー表示のＯＮ／ＯＦＦと同期して、図２のＣＰＵ部９から映像信号処理部１３へのＯＳＤ信号出力をＯＮ／ＯＦＦさせることで表示デバイス部１７へのアイコン４の表示がＯＮ／ＯＦＦされる。
【００３８】
かかる構成によれば、このリモコンキー表示メニュー２１のリモコンキー表示をＯＦＦすることで図２のＣＰＵ部９から映像信号処理部１３へのＯＳＤ信号出力が停止され、表示デバイス部１７へのアイコン４の出力がされなくなり、実施の形態１においてユーザが画面上の点滅アイコン４の表示を煩雑に感じた場合のため機能設定用オンスクリーンメニュー２０中にリモコンキー表示のＯＮ、ＯＦＦを選択できる機能を持つことでユーザの好みに対応できるようにしたものである。
【００３９】
なお、リモコンキー表示をＯＦＦに設定していてもユーザが再びリモコンキー表示をＯＮした際に直ちに表示デバイス部１７にアイコン４の表示ができるようにＣＰＵ部９はリモコン信号に対してはキャラクタライブラリに対しては検索を行ない、メモリに蓄える処理は継続して行なうようにしてもよい。
【００４０】
（実施の形態３）
本発明の実施の形態３では、実施の形態１でデータコンテンツのダウンロード受付を認識した旨のアイコン４のみを画面に表示したのに対し、アイコン４を画面に表示した後も別のリモコンキーがユーザによって押されれば順次リモコンキーバッファ部１８に蓄積していき、押されたリモコンキーを順番通りに表示デバイス部１７に並べて表示して行き、データコンテンツのダウンロードは継続して行ないつつ、ＣＰＵ部９はリモコンキーバッファ部１８に蓄積されている次のリモコンキーに対する処理を行なう、というものである。
【００４１】
図４は本発明の実施の形態３におけるリモコンキー認識表示システムのイメージ図である。リモコンキー認識表示システムは、リモコンキー認識対応アイコン表示可能なテレビジョン受信機２２と、リモコン２３で構成されている。
【００４２】
リモコン２３には、データコンテンツダウンロードキー２４を備えている。
【００４３】
テレビジョン受信機２２は表示デバイス部３０を備えており、表示デバイス部３０に映像３１を表示したり、リモコン２３のデータコンテンツダウンロードキー２４に対応した点灯もしくは点滅するアイコン２５を表示したりする。
【００４４】
リモコン２３中には他に音声ミュートキー２６、メニューキー２８、チャンネル情報キー３２を備えており、表示デバイス部３０の画面には音声ミュートキー２６に対応したアイコン２７、メニューキー２８に対応したアイコン２９、チャンネル情報キー３２に対応したアイコン３３が存在する。
【００４５】
図５は本発明の実施の形態３におけるテレビジョン受信機のブロック図であり、信号処理の流れも示している。テレビジョン受信機２２は、リモコン信号受信部３４、リモコンパルスデコーダ部３５、ＣＰＵ部３６、キャラクタライブラリ部３７、第１のメモリ部３８、チューナ部３９、映像信号処理部４０、表示ドライバ部４１、映像信号４２、同期信号４３、表示デバイス部４４、リモコンキーバッファ部４５、第２のメモリ部４６で構成されている。
【００４６】
リモコン信号受信部３４は、リモコン２３から送出されるテレビジョン受信機２２にデータ放送のダウンロード等を実行させるリモコン信号を受信し、キャリア変調されたリモコンパルス以外の周波数に対してノイズフィルタをかけるブロックである。
【００４７】
リモコンパルスデコーダ部３５は、リモコン信号受信部３４でノイズを除去されたリモコン信号を家電製品協会のコード等のフォーマットのデジタルデータに復調するブロックである。
【００４８】
ＣＰＵ部３６は、リモコンパルスデコーダ部３５で復調されたデジタルデータがどのような操作内容であるかを解読し、その内容に対応して次動作を決定するマイコンである。詳細は以降のブロックの説明と合わせて後述する。
【００４９】
キャラクタライブラリ部３７は、後述する表示デバイス部４４に前記デジタルデータに対応したアイコン２５、アイコン２７、アイコン２９、アイコン３３を表示するためのデータを格納しているライブラリである。例えばＣＰＵ部３６が解読した前記デジタルデータがデータコンテンツのダウンロードである場合、ＣＰＵ部３６の次動作として表示デバイス部４４にアイコン２５を表示させるためにキャラクタライブラリ部３７中のアイコン２５に対応したデータを検索する。
【００５０】
第１のメモリ部３８は、表示デバイス部４４に表示するためにキャラクタライブラリ部３７中のデータやＣＰＵ部３６自身のシステムワークメモリとしてのデータ処理用記憶領域である。
【００５１】
チューナ部３９は、変調されたデータコンテンツ、映像、音声などのデジタル放送波を選局し、トランスポートストリーム信号に復調し、次段に出力するブロックである。
【００５２】
映像信号処理部４０は、チューナ部３９から入力されたトランスポートストリーム信号の中から所望のデータのみをフィルタリングし、ＭＰＥＧ復調し、画質補正し、ＣＰＵ部３６に映像同期信号を出力したり、逆にＣＰＵ部３６から出力されたアイコン２５等のＯＳＤ信号のデジタルデータを前記映像信号とミックス、スケーリング処理などを行ない、表示ドライバ部４１にＲＧＢ形式等のフォーマットでデジタル信号出力を行なったりするブロックである。
【００５３】
表示ドライバ部４１は、後述の映像信号４２および同期信号４３の映像信号処理部４０からＲＧＢ等の形式で出力されたデジタル信号をＬＶＤＳ等の表示デバイス部４４の所望する信号フォーマットに変換し出力するデバイスである。
【００５４】
映像信号４２は、映像信号処理部４０内で処理されたデジタル映像信号にＣＰＵ部３６から出力されるアイコン２５を重畳したＲＧＢ等形式のデジタル信号である。
【００５５】
同期信号４３は、映像信号４２の水平、垂直の同期信号、及びそれらのクロックである。
【００５６】
表示デバイス部４４は、テレビジョン受信機２２の映像表示部である。図４のリモコンキー認識表示システムのイメージ図では表示デバイス３０として描かれている。
【００５７】
リモコンキーバッファ部４５は、ユーザが連続してリモコン２３のキーを押した場合、テレビジョン受信機２２でキーが押された順番に処理するために、リモコン２３のキー入力を順番にバッファリングしておくためのブロックである。
【００５８】
第２のメモリ部４６は、映像信号処理部４０がトランスポートストリームから所望のデータのみをフィルタリングする際のトランスポートストリームパケットやＭＰＥＧ復調する際のＰＥＳパケットや画質補正やスケーリングするための映像信号処理用記憶領域である。
【００５９】
ユーザがデータコンテンツダウンロードキー２４を押し、表示デバイス部４４に対応のアイコン２５が表示され、テレビジョン受信機２２がデータコンテンツをダウンロードしている状態から説明する。
【００６０】
テレビジョン受信機２２がデータコンテンツをダウンロードしている時にユーザが音声ミュートキー２６を押すと図４のようにそれに対応したアイコン２７がアイコン２５の横に表示される。テレビジョン受信機２２はデータコンテンツダウンロード中ではあるがその処理は継続したまま音声ミュートの処理を行なう。音声ミュート処理を実行する前にユーザがメニューキー２８を押せば表示デバイス部３０上にはアイコン２５、アイコン２７を表示したままアイコン２９が図４のように表示される。さらにテレビジョン受信機２２が音声ミュート処理を行なう前にユーザがチャンネル情報キー３２を押せば前記同様にアイコン３３が図４のようにアイコン２９の隣に表示される。
【００６１】
この状態からテレビジョン受信機２２の音声ミュート処理が完了すれば表示デバイス上からアイコン２７のみが消え、データコンテンツダウンロード処理が完了していなければ次のメニューキー２８の処理操作に入り、それが完了すれば表示デバイス部３０上からアイコン２９が消え、データコンテンツダウンロードが完了すれば表示デバイス部３０上からアイコン２５が消える、という一連の動作を行なうものである。
【００６２】
これらの動作を図５を参照して解説する。
【００６３】
テレビジョン受信機２２がデータコンテンツをダウンロードしている時にはリモコンキーバッファ４５は空の状態であり、ユーザが音声ミュートキー２６を押すとデータコンテンツダウンロード処理４７を継続したまま処理ルート４８でリモコンキーバッファ４５に音声ミュートキー２６を蓄積し、処理ルート４９でＣＰＵ部３６はキャラクタライブラリ部３７から対応のアイコンデータを検索し第１のメモリ部３８に格納し、映像信号処理部４０にアイコン２５とアイコン２７の入ったＯＳＤ信号として水平、垂直、及びクロック信号とともに出力する。映像信号処理部４０はデータコンテンツをダウンロードしメモリに蓄積中であり、まだ表示デバイス部４４に表示できるだけのデータ量が蓄積できていないため、この時点ではＣＰＵ３６に対し割り込み処理通知は行なわず、データコンテンツのダウンロード処理を継続したまま、処理ルート４９のＣＰＵから出力されたアイコン２５、アイコン２７の入ったＯＳＤ信号を処理ルート５０の別途フィルタリング処理している映像信号にミックスし、処理ルート５１を通って表示デバイス部４４に表示することができる。
【００６４】
次に音声ミュート処理が完了すれば表示デバイス４４からアイコン２７が消え、表示デバイス４４上にはアイコン２５のみが残っているが、その状態でユーザがメニューキー２８を押せば音声ミュートキー２６と同様の処理が繰り返され、データダウンロードが表示デバイス４４に表示できるだけのデータが第２のメモリ４６に蓄積されると映像信号処理部４０はＣＰＵ部３６に通知し、割り込み処理を発生させ、アイコン２５を表示デバイス部４４から消去するリクエストを行なう。
【００６５】
かかる構成によれば実施の形態１で述べたようなデータコンテンツをダウンロードする、といったＣＰＵ部３６が処理するのに時間がかかるような作業中であってもユーザは連続してリモコン信号を送ることができ、さらにそれがテレビジョン受信機２２で正しく認識、かつ順番に処理されていくのが判別でき、ユーザは時間の無駄を解消することができる。
【００６６】
（実施の形態４）
本発明の実施の形態４では、実施の形態３に加えてユーザのリモコンキーの入力間違いや一度入力したリモコンキー処理を取り消したい時に表示デバイス上でリモコンを用いて処理順序通りに並べられたアイコンから選択されたアイコンを削除、もしくはその順序を入換えるようにしたものである。
【００６７】
図６は本発明実施の形態４におけるリモコンキー認識表示システムの機能設定用オンスクリーンメニュー図である。機能設定用オンスクリーンメニュー５２には、リモコンキーバッファ編集メニュー５３が備えられている。
【００６８】
図７は本発明実施の形態４におけるリモコンキー認識表示システムのイメージ図である。
【００６９】
テレビジョン受信機の表示画面上にはユーザによってリモコンキーが押され、その処理の順番待ちをしているリモコンキーに対応したアイコンが並んでいる。そのアイコンはデータダウンロード修理中であることを示すアイコン５４、音声ミュート処理中であることを示すアイコン５５、メニュー表示処理中であることを示すアイコン５６、チャンネル情報表示処理中であることを示すアイコン５７、表示デバイス上に並んで表示されているアイコン群を選択する編集用アクティブアイコンの選択カーソル５８である。またそれらを操作するリモコンには十字キーの内の左キー５９、決定キー６０が配置されている。
【００７０】
図８は本発明の実施の形態４におけるテレビジョン受信機のブロック図であり、信号処理の流れも示している。テレビジョン受信機は、リモコン信号受信部６１、リモコンパルスデコーダ部６２、ＣＰＵ部６３、キャラクタライブラリ部６４、第１のメモリ部６５、チューナ部６６、映像信号処理部６７、表示ドライバ部６８、映像信号６９、同期信号７０、表示デバイス部７１、リモコンキーバッファ部７２、第２のメモリ部７３で構成されている。
【００７１】
リモコン信号受信部６１は、リモコンから送出されるテレビジョン受信機にデータ放送のダウンロード等を実行させるリモコン信号を受信し、キャリア変調されたリモコンパルス以外の周波数に対してノイズフィルタをかけるブロックである。
【００７２】
リモコンパルスデコーダ部６２は、リモコン信号受信部６１でノイズを除去されたリモコン信号を家電製品協会のコード等のフォーマットのデジタルデータに復調するブロックである。
【００７３】
ＣＰＵ部６３は、リモコンパルスデコーダ部６２で復調されたデジタルデータがどのような操作内容であるかを解読し、その内容に対応して次動作を決定するマイコンである。
【００７４】
キャラクタライブラリ部６４は、後述する表示デバイス部７１に前記デジタルデータに対応したアイコン５４、アイコン５５、アイコン５６、アイコン５７、選択カーソル５８を表示するためのデータを格納しているライブラリである。例えばＣＰＵ部６３が解読した前記デジタルデータがデータコンテンツのダウンロードである場合、ＣＰＵ部６３の次動作として表示デバイス部７１にアイコン５４を表示させるためにキャラクタライブラリ部６４中のアイコン５４に対応したデータを検索する。
【００７５】
第１のメモリ部６５は、表示デバイス部７１に表示するためにキャラクタライブラリ部６４中のデータやＣＰＵ部６３のシステムワークメモリとしてのデータ処理用記憶領域である。
【００７６】
チューナ部６６は、変調されたデータコンテンツ、映像、音声などのデジタル放送波を選局し、トランスポートストリーム信号に復調し、次段に出力するブロックである。
【００７７】
映像信号処理部６７は、チューナ部６６から入力されたトランスポートストリーム信号の中から所望のデータのみをフィルタリングし、ＭＰＥＧ復調し、画質補正し、ＣＰＵ部６３に映像同期信号を出力したり、逆にＣＰＵ部６３から出力されたアイコン５４等のＯＳＤ信号のデジタルデータを前記映像信号とミックス、スケーリング処理などを行ない、表示ドライバ部６８にＲＧＢ形式等のフォーマットでデジタル信号出力を行なったりするブロックである。
【００７８】
表示ドライバ部６８は、後述の映像信号６９および同期信号７０の映像信号処理部６７からＲＧＢ等の形式で出力されたデジタル信号をＬＶＤＳ等の表示デバイス部７１の所望する信号フォーマットに変換し出力するデバイスである。
【００７９】
映像信号６９は、映像信号処理部６７内で処理されたデジタル映像信号にＣＰＵ部６３から出力されるアイコン５４を重畳したＲＧＢ等形式のデジタル信号である。
【００８０】
同期信号７０は、映像信号６９の水平、垂直の同期信号、及びそれらのクロックである。
【００８１】
表示デバイス部７１は、テレビジョン受信機の映像表示部である。図７のリモコンキー認識表示システムのイメージ図では表示デバイスとして描かれている。
【００８２】
リモコンキーバッファ部７２は、ユーザが連続してリモコンのキーを押した場合、テレビジョン受信機でキーが押された順番に処理するために、リモコンのキー入力を順番にバッファリングしておくためのブロックである。
【００８３】
第２のメモリ部７３は、映像信号処理部６７がトランスポートストリームから所望のデータのみをフィルタリングする際のトランスポートストリームパケットやＭＰＥＧ復調する際のＰＥＳパケットや画質補正やスケーリングするための映像信号処理用記憶領域である。
【００８４】
ユーザがデータコンテンツダウンロードキー、音声ミュートキー、メニュー表示キー、チャンネル情報表示キーの順でリモコンキーを押し、それに対応して表示デバイス部７１にアイコン５４、アイコン５５、アイコン５６、アイコン５７が表示され、テレビジョン受信機がそれぞれの処理を実行中である状態から説明する。
【００８５】
この状態でユーザがアイコン５６のメニュー表示を取り消したい場合、機能設定用オンスクリーンメニュー５２中にリモコンキーバッファ編集メニュー５３を追加し、それに表示デバイス７１上のアイコン群の編集機能を持たせることで実現可能となる。ユーザーがリモコンキーバッファ編集メニュー５３を選択すると、それに同期して後述のテレビジョン受信機の表示デバイス部上に並べられているユーザによって押され、テレビジョン受信機による処理順待ちのリモコンキーに対応したアイコン５４、アイコン５５、アイコン５６、アイコン５７中の最も押された順の古いアイコン５４上に選択カーソル５８が現われる。次にリモコンキーバッファ編集メニュー５３中に移動、消去、キャンセルの文字が現われ、ユーザがリモコンキー操作を取り消したいアイコンにリモコンの十字キーを使いカーソルを移動させ、次に消去を選択する（第１のリモコンキー対応アイコン表示編集処理ルート７４）とそのアイコンが消える（第２のリモコンキー対応アイコン表示編集処理ルート７６）と同時にキーバッファ内で順番待ちのリモコンキーコマンドも消去される（リモコンキーバッファ処理ルート７５）。
【００８６】
また、上記一連の動作で早く処理を行いたい操作があれば、リモコン十字キー内の左キー５９でリモコンキーバッファ編集メニュー５３中の移動をＯＫキー６０で選択してから再度リモコン十字キー内の左キー５９で対応のアイコンにカーソルを移動し、ＯＫキー６０を押し、選択し、次に移動したい箇所をリモコン十字キー内の左キー５９で対応アイコンを選択すればそのアイコンの前に選択したアイコンが移動し。そのアイコンに対応したテレビジョン受信機の処理もそれに合わせて先に処理される。
【００８７】
かかる構成によれば数あるＣＰＵが未処理のアイコン群からユーザが入力間違いもしくは変更したいアイコンを任意で選択し、処理の順序入換えやその処理自体中止を選択、実施することができ、ユーザは時間の無駄を解消することができる。
【産業上の利用可能性】
【００８８】
本発明のデジタルテレビジョン受信機におけるリモコンキー認識表示システムはデジタル放送のデータ放送コンテンツをダウンロードしている間もテレビジョン受信機が他のリモコンコマンドを受付け、認識しているかを表示することができ、またダウンロード中も一連のリモコンコマンドをキーバッファに蓄積しておくことで入力キーに誤りがないかが確認でき、誤りがある場合はリモコンを用いてその編集もできる、という効果を有し、デジタルテレビ受信機に関するものとして有用である。
【図面の簡単な説明】
【００８９】
【図１】本発明の実施の形態１におけるリモコンキー認識表示システムのイメージ図
【図２】本発明の実施の形態１におけるテレビジョン受信機のブロック図
【図３】本発明の実施の形態２におけるリモコンキー認識表示システムの機能切換えオンスクリーンメニュー図
【図４】本発明の実施の形態３におけるリモコンキー認識表示システムのイメージ図
【図５】本発明の実施の形態３におけるテレビジョン受信機のブロック図
【図６】本発明の実施の形態４におけるリモコンキー認識表示システムの機能切換えオンスクリーンメニュー図
【図７】本発明の実施の形態４におけるリモコンキー認識表示システムのイメージ図
【図８】本発明の実施の形態４におけるテレビジョン受信機のブロック図
【符号の説明】
【００９０】
１    テレビジョン受信機
２    リモコン
３    データコンテンツダウンロードキー
４    アイコン
５    表示デバイス部
６    映像
７    リモコン信号受信部
８    リモコンパルスデコーダ部
９    ＣＰＵ部
１０    キャラクタライブラリ部
１１    第１のメモリ部
１２    チューナ部
１３    映像信号処理部
１４    表示ドライバ部
１５    映像信号
１６    同期信号
１７    表示デバイス部
１８    リモコンキーバッファ部
１９    第２のメモリ部
２０    機能設定用オンスクリーンメニュー
２１    リモコンキー表示メニュー
２２    テレビジョン受信機
２３    リモコン
２４    データコンテンツダウンロードキー
２５    アイコン
２６    音声ミュートキー
２７    アイコン
２８    メニューキー
２９    アイコン
３０    表示デバイス部
３１    映像
３２    チャンネル情報キー
３３    アイコン
３４    リモコン信号受信部
３５    リモコンパルスデコーダ部
３６    ＣＰＵ部
３７    キャラクタライブラリ部
３８    第１のメモリ部
３９    チューナ部
４０    映像信号処理部
４１    表示ドライバ部
４２    映像信号
４３    同期信号
４４    表示デバイス部
４５    リモコンキーバッファ部
４６    第２のメモリ部
４７    データダウンロード処理ルート
４８    リモコンキー蓄積処理ルート
４９    アイコン表示処理ルート
５０    映像信号処理ルート
５１    ミックス信号処理ルート
５２    機能設定用オンスクリーンメニュー
５３    リモコンキーバッファ編集メニュー
５４    アイコン
５５    アイコン
５６    アイコン
５７    アイコン
５８    選択カーソル
５９    十字キーの内の左キー
６０    ＯＫキー
６１    リモコン信号受信部
６２    リモコンパルスデコーダ部
６３    ＣＰＵ部
６４    キャラクタライブラリ部
６５    第１のメモリ部
６６    チューナ部
６７    映像信号処理部
６８    表示ドライバ部
６９    映像信号
７０    同期信号
７１    表示デバイス部
７２    リモコンキーバッファ部
７３    第２のメモリ部
７４    第１のリモコンキー対応アイコン表示編集処理ルート
７５    リモコンキーバッファ処理ルート
７６    第２のリモコンキー対応アイコン表示編集処理ルート
７７    映像信号処理ルート
７８    ミックス信号処理ルート
【図１】
2008053770.tif 000003
【図２】
2008053770.tif 000004
【図３】
2008053770.tif 000005
【図４】
2008053770.tif 000006
【図５】
2008053770.tif 000007
【図６】
2008053770.tif 000008
【図７】
2008053770.tif 000009
【図８】
2008053770.tif 000010